(57)【特許請求の範囲】
【請求項１】
グルコン酸クロルヘキシジンが付着した繊維製品を、カチオン界面活性剤及びノニオン界面活性剤から選ばれる界面活性剤を含有する硬度３〜１１°ＤＨ、ｐＨ５〜８の液体で予備洗浄した後、アルカリビルダー及び界面活性剤を含む液体で本洗浄する繊維製品の洗浄方法。
【請求項２】
予備洗浄に用いる液体が、カチオン界面活性剤を含有する請求項１記載の洗浄方法。
【請求項３】
カチオン界面活性剤が、下記一般式（Ｉ）で示される化合物及び／又は下記一般式（II）で示される化合物である請求項２記載の洗浄方法。
【化１】
0004387073.tif 000006
〔式中、Ｒ1、Ｒ2、Ｒ3、Ｒ4のうち少なくとも１つとＲ5は、炭素数８〜２０のアルキル基又はアルケニル基であり、残余はベンジル基、炭素数１〜５のアルキル基もしくはヒドロキシアルキル基又は下記一般式（III）
【化２】
0004387073.tif 000007
で表される基であり、Ｘ-は、ハロゲンイオン又は下記一般式（IV）
【化３】
0004387073.tif 000008
で表される陰イオン（Ｒ6、Ｒ7の少なくとも一方は炭素数６〜２０の直鎖又は分岐鎖のアルキル基又はアルケニル基であり、他方は水素原子、メチル基、エチル基、又は炭素数８〜１８のアルキルリン酸残基である）である。〕
【請求項４】
予備洗浄に用いる液体が、ノニオン界面活性剤を含有する請求項１〜３の何れか１項記載の洗浄方法。
【請求項５】
ノニオン界面活性剤が、下記一般式（Ｖ）で表される化合物である請求項４記載の洗浄方法。
Ｒ8−Ｏ−(ＥＯ)p−(ＰＯ)q−(ＥＯ)r−Ｈ    （Ｖ）
〔式中、Ｒ8は平均炭素数８〜１８のアルキル基又はアルケニル基であり、ＥＯはオキシエチレン基、ＰＯはオキシプロピレン基である。ｐ、ｑ、ｒはそれぞれ平均付加モル数であり、ｐ＞０、ｒ＞０、ｑ＝１〜６であり、ｐ＋ｑ＋ｒ＝４〜２０である〕
【発明の詳細な説明】
【０００１】
【発明の属する技術分野】
本発明は、グルコン酸クロルヘキシジンが付着した繊維製品、特に病院で使用される繊維製品の洗浄方法に関する。
【０００２】
【従来の技術】
病院で使用されるシーツ、枕カバー、包帯、病衣、白衣、手術衣等の繊維製品には、消毒薬であるグルコン酸クロルヘキシジン（商品名；ヒビテン）が付着することがある。これら繊維製品は、リネンサプライ等で洗浄された後、病院で再使用されるが、グルコン酸クロルヘキシジンが付着した繊維製品を塩素系漂白剤で漂白すると、グルコン酸クロルヘキシジンが濃黒褐色に変色して除去が困難となる。
【０００３】
このような問題を解決するために、特公昭６０−２４８５９号には、病院衣料を有機酸又は無機酸の酸溶液で洗浄後、次亜塩素酸ソーダを含む洗浄液で洗浄する方法が、特開平１１−２２９２７１号には、病院寝具類を多価カルボン酸又はオキシカルボン酸を含む水溶液で予備洗浄した後、本洗浄する方法が、また特開２０００−９６０９３号には、有機ホスホン酸系キレート剤、有機多価カルボン酸を含有し、２５℃、１重量％水溶液のｐＨが３以下のランドリー用洗浄前処理剤組成物が開示されている。
【０００４】
【発明が解決しようとする課題】
しかし、上記公報の技術を用いても、グルコン酸クロルヘキシジンが付着した病院用繊維製品の塩素系漂白剤による変色は十分に抑制できなかった。
【０００５】
本発明の課題は、グルコン酸クロルヘキシジンが付着した病院用繊維製品の塩素系漂白剤による変色を十分に抑制できる洗浄方法を提供することである。
【０００６】
【課題を解決するための手段】
本発明は、グルコン酸クロルヘキシジンが付着した繊維製品を、硬度２〜１５°ＤＨ、ｐＨ３〜８の液体で予備洗浄した後、アルカリビルダー及び界面活性剤を含む液体で本洗浄する繊維製品の洗浄方法に関する。
【０００７】
【発明の実施の形態】
本発明において、予備洗浄に用いられる液体（以下、予備洗浄用液体という）は、液状の洗浄媒体であり、水を含有するものが好ましい。なお、予備洗浄用液体には、ビルダー等、固体成分が存在していてもよい。
【０００８】
予備洗浄用液体は、硬度が２〜１５°ＤＨ、好ましくは３〜１１°ＤＨ、より好ましくは４〜１０°ＤＨである。ここで、硬度はドイツ硬度であり、これは、水中の硬度成分であるカルシウムとマグネシウムの全量を、ＣａＯ換算でｍｇ／水１００ｍｌで表したものである（単位：°ＤＨ）。
【０００９】
また、予備洗浄用液体は、ｐＨが３〜８、好ましくは５〜８、より好ましくは５〜７である。ここで、ｐＨは、予備洗浄を行う際の予備洗浄液体の温度におけるｐＨである。
【００１０】
予備洗浄用液体は、この範囲の硬度及びｐＨを満たす上で、本発明の効果を損なわない種々の成分を含有することができる。
【００１１】
予備洗浄用液体は、カチオン界面活性剤を含有することが好ましく、カチオン界面活性剤としては、下記一般式（Ｉ）で示される化合物及び／又は下記一般式（II）で示される化合物が好ましい。
【００１２】
【化４】
0004387073.tif 000002
【００１３】
〔式中、Ｒ1、Ｒ2、Ｒ3、Ｒ4のうち少なくとも１つとＲ5は、炭素数８〜２０のアルキル基又はアルケニル基であり、残余はベンジル基、炭素数１〜５のアルキル基もしくはヒドロキシアルキル基又は下記一般式（III）
【００１４】
【化５】
0004387073.tif 000003
【００１５】
で表される基であり、Ｘ-は、ハロゲンイオン又は下記一般式（IV）
【００１６】
【化６】
0004387073.tif 000004
【００１７】
で表される陰イオン（Ｒ6、Ｒ7の少なくとも一方は炭素数６〜２０の直鎖又は分岐鎖のアルキル基又はアルケニル基であり、他方は水素原子、メチル基、エチル基、又は炭素数８〜１８のアルキルリン酸残基である）である。〕。
【００１８】
カチオン界面活性剤は、予備洗浄用液体中に０．０００５〜１重量％、更に０．００１〜０．５重量％、特に０．００２〜０．０５重量％含有されることが好ましい。
【００１９】
また、予備洗浄用液体は、ノニオン界面活性剤を含有することが好ましく、ノニオン界面活性剤としては、下記一般式（Ｖ）で表される化合物が好ましい。
【００２０】
Ｒ8−Ｏ−(ＥＯ)p−(ＰＯ)q−(ＥＯ)r−Ｈ    （Ｖ）
〔式中、Ｒ8は平均炭素数８〜１８のアルキル基又はアルケニル基であり、ＥＯはオキシエチレン基、ＰＯはオキシプロピレン基である。ｐ、ｑ、ｒはそれぞれ平均付加モル数であり、ｐ＞０、好ましくはｐ＝２〜１０、ｒ＞０、好ましくはｒ＝２〜１０、ｑ＝１〜６、好ましくはｑ＝１〜５であり、ｐ＋ｑ＋ｒ＝４〜２０、好ましくは６〜１４である〕。
【００２１】
ノニオン界面活性剤は、予備洗浄用液体中に０．０００５〜１重量％、更に０．００１〜０．５重量％、特に０．００２〜０．０５重量％含有されることが好ましい。
【００２２】
その他に、予備洗浄用液体に配合できる成分として、酵素、香料、色素、溶剤、グリコール類、再汚染防止剤、消泡剤等が挙げられる。
【００２３】
本発明において、病院用繊維製品を予備洗浄する条件には特に制限はなく、被洗物の汚れの状態などに応じて適宜選択することができるが、カチオン界面活性剤が上記濃度となるように予備洗浄用液体を使用し、予備洗浄用液体のｐＨ及び硬度を前記範囲とし、予備洗浄用液体の温度を５〜７０℃として、１〜２０分洗浄することが好ましい。
【００２４】
本発明においては、予備洗浄に続いて、アルカリビルダー及び界面活性剤を含む液体（以下、本洗浄用液体という）を用いて本洗浄を行う。この本洗浄用液体も、液状の洗浄媒体であり、水を含有するものが好ましい。なお、本洗浄用液体にも固体成分が存在していてもよい。
【００２５】
本洗浄用液体に用いるアルカリビルダーには特に制限はないが、珪酸、炭酸、リン酸及びこれらの塩、好ましくはナトリウム塩を好適に使用できる。
【００２６】
また、本洗浄用液体に用いる界面活性剤としては、予備洗浄用液体で説明した一般式（Ｉ）で示される化合物及び／又は下記一般式（II）で示される化合物等のカチオン界面活性剤、一般式（Ｖ）で表される化合物等のノニオン界面活性剤の他、α−オレフィンスルホン酸塩、直鎖アルキルベンゼンスルホン酸塩、ポリオキシエチレンアルキル硫酸エステル塩、石鹸などの陰イオン界面活性剤を使用することもできる。
【００２７】
その他に、本洗浄用液体には、漂白剤、消泡剤、蛍光増白剤、酵素などを含むことができる。
【００２８】
本洗浄用液体に用いる漂白剤には特に制限はなく、例えば、過炭酸ナトリウム、過酸化水素、過硼酸ナトリウム、過酸化ナトリウムなどの酸素系漂白剤、次亜塩素酸ナトリウム、亜塩素酸ナトリウム、サラシ粉などの塩素系漂白剤、ハイドロサルファイト、チオ硫酸ナトリウム、重亜硫酸ナトリウムなどの還元漂白剤などを挙げることができる。
【００２９】
それ以外の本洗浄の条件は、被洗物の汚れの状態などに応じて適宜選択することができるが、通常は、被洗物に対してアルカリビルダーが０．００２〜０．２重量％、界面活性剤が０．００１〜０．５重量％となるように、本洗浄用液体を使用し、本洗浄用液体の温度及びｐＨを前記範囲として、１〜２０分洗浄することが好ましい。このような条件で本洗浄を行うことにより、病院用繊維製品の汚れを、再汚染を生ずることなく除去し、さらに良好な漂白効果を発揮することができる。
【００３０】
本洗浄後の被洗物は、公知の方法により濯ぎ、脱水、乾燥を行うことが好ましい。
【００３１】
本発明の洗浄方法は、予備洗浄、本洗浄とも、洗浄機を用いる、自動化された洗浄システムで実施できる。
【００３２】
本発明の洗浄方法の対象となる繊維製品としては、病院で使用されるシーツ、枕カバー、包帯、病衣、白衣、手術衣等の病院用の繊維製品であって、グルコン酸クロルヘキシジンが付着した繊維製品が挙げられる。
【００３３】
【発明の効果】
本発明によれば、消毒薬であるグルコン酸クロルヘキシジンが付着した病院用繊維製品を塩素系漂白剤で漂白洗浄した場合でも、グルコン酸クロルヘキシジンに起因する着色を生ずることなく洗浄することができる。
【００３４】
【実施例】
実施例１〜５及び比較例１〜５
グルコン酸クロルヘキシジンの５重量％水溶液を、１０ｃｍ×１０ｃｍの木綿布に０．５ｇ滴下し、風乾し、人工汚染布とした。この時点で、人工汚染布には肉眼で確認できる汚れは存在しない。
【００３５】
この人工汚染布を表１に示す条件で予備洗浄（４０〜５０℃、５分間）した後、排水、脱水した後、表１に示す条件で本洗浄（６０℃、１０分間）した。
【００３６】
本洗浄後の人工汚染布を乾燥させ、次亜塩素酸ナトリウムの６重量％水溶液を０．５ｇ滴下し、発色させた（発色試験）。
【００３７】
洗浄前の人工汚染布と発色試験後の人工汚染布の５２０ｎｍにおける反射率を、それぞれ測定し、以下の式により白度を算出した。白度が１００に近いほど、発色が小さく良好な結果であることを意味する。
白度＝（発色試験後の人工汚染布の反射率）／（洗浄前の人工汚染布の反射率）×１００
【００３８】
【表１】
0004387073.tif 000005
【００３９】
（注）
＊１  ノニオン界面活性剤（１）：ポリオキシエチレンラウリルエーテル（花王（株）、エマルゲン１０８）
＊２  ノニオン界面活性剤（２）：日本触媒（株）、ソフタノール７０
＊３  ノニオン界面活性剤（３）：花王（株）、エマルゲンＬＳ１１０
＊４  カチオン界面活性剤：花王（株）、サニゾールＣ